(57)【要約】      （修正有）【課題】鍔付きのヘルメットや帽子を被っていても容易かつ確実に装着することができる新規なフェイスシールドを提供する。【解決手段】透明シールド板１０の上縁１１両端に、ヘルメットに装着するためのゴムバンド２０を備えたフェイスシールド１００であって、透明シールド板１０の上縁１１近傍にヘルメットの鍔を通過させるスリット１２を形成する。そして、その透明シールド板１０のスリット１２にヘルメットの鍔を通過させるようにして装着すれば、透明シールド板１０と鍔とが干渉しなくなるため、鍔付きのヘルメットや帽子を被っていても容易かつ確実に装着できる。【選択図】図１
0003228907.tif 000002
【実用新案登録請求の範囲】
【請求項１】
透明シールド板の上縁両端に、ヘルメットまたは帽子に装着するためのゴムバンドを備えたフェイスシールドであって、
前記透明シールド板の上縁近傍に前記ヘルメットまたは帽子の鍔を通過させるスリットを形成したことを特徴とするフェイスシールド。
【請求項２】
請求項１に記載のフェイスシールドにおいて、
前記透明シールド板の上縁に沿って緩衝材を備えたことを特徴とするフェイスシールド。
【考案の詳細な説明】
【技術分野】
【０００１】
本考案は、顔面を覆って保護するための透明なフェイスシールドに関するものである。
【背景技術】
【０００２】
最近の新型コロナウィルス感染症対策として業務中や日常生活においてもマスクが欠かせない存在となっている。特に、病院や未就学児童施設（保育園）、学校、老人ホーム、飲食店、劇場、文化展示施設及びショッピングモールなどといった比較的密になりやすく不特定多数の人が集まる場所では、マスクをしていない人の入場が断られるケースもある。また、一部の工場や作業現場のような作業員に対してもマスクの装着を義務づけているケースが多く見られる
【０００３】
しかしながら、口や鼻を覆うマスクは呼吸を妨げるため、運動や作業には向かない上に、夏場は体温上昇を招き、熱中症の原因ともなる。また、表情や口の動きがわかりにくいため、接客業などには向かないといった欠点がある。さらに飛沫が目やその周辺に付着してしまい感染を効果的に予防できない。そのため、最近ではマスクに代わって例えば以下の特許文献１乃至４に示すような顔面全体を透明なプレスチック板で覆ったフェイスシールドが注目を浴びている。
【０００４】
特許文献１には、頭部周囲に固定して使用するための装着バンドと、その装着バンドに取り付けられる透明な可撓性シールド部材と、その装着バンドの前頭部に取り付けられる間隔部材とからなる顔面保護シールドが開示されている。また、特許文献２や４には、マスクの上部に透明合成樹脂シートを一体的に取り付けた着脱式のアイシールドが開示されている。さらに、特許文献３には、頭部に装着される本体フレームと、シールドを保持するシールドフレームとからなる顔面保護具および顔面保護用フレームが開示されている。
【先行技術文献】
【特許文献】
【０００５】
【特許文献１】特開２００５−２８７５６１号公報
【特許文献２】実用新案登録第３１６００３９号公報
【特許文献３】特開２０１５−２０５１０５号公報
【特許文献４】特開２０１６−１２３６９３号公報
【考案の概要】
【考案が解決しようとする課題】
【０００６】
しかしながら、前述したような従来のフェイスシールドは、頭部に直接とりつけるような構造となっているため、鍔がついているヘルメットや野球帽のような鍔付きの帽子を被っている状態では装着が困難であった。
【０００７】
そこで、本考案の目的は、これらの課題を解決するために案出されたものであり、その目的は、鍔付きのヘルメットや帽子を被っていても容易かつ確実に装着することができる新規なフェイスシールドを提供することにある。
【課題を解決するための手段】
【０００８】
前記課題を解決するために第１の考案は、透明シールド板の上縁両端に、ヘルメットまたは帽子に装着するためのゴムバンドを備えたフェイスシールドであって、前記透明シールド板の上縁近傍に前記ヘルメットまたは帽子の鍔を通過させるスリットを形成したことを特徴とするフェイスシールドである。このような構成によれば、透明シールド板のスリットにヘルメットまたは帽子の鍔を通過させるようにして装着すれば、透明シールド板と鍔とが干渉しなくなるため、鍔付きのヘルメットや帽子を被っていても容易かつ確実に装着することができる。
【０００９】
第２の考案は第１の考案において、前記透明シールド板の上縁に沿って緩衝材を備えたことを特徴とするフェイスシールドである。このような構成によれば、透明シールド板の上縁を緩衝材を介してヘルメット表面に隙間まなく当接することができるため、頭を大きく動かしても透明シールド板がずれることがなくなり、しっかりと頭部に装着することができる。
【考案の効果】
【００１０】
本発明によれば、透明シールド板と鍔とが干渉しなくなるため、鍔付きのヘルメットや帽子を被っていても容易かつ確実に装着することができる。また、透明シールド板の上縁を緩衝材を取り付けることによって、頭を大きく動かしても透明シールド板がずれることがなくなり、しっかりと頭部に装着することができるなどといった優れた効果を発揮する。
【図面の簡単な説明】
【００１１】
【図１】本考案に係るフェイスシールド１００の実施の一形態を示す斜視図である。
【図２】本考案に係るフェイスシールド１００の正面図である。
【図３】本考案に係るフェイスシールド１００の背面図である。
【図４】本考案に係るフェイスシールド１００の側面図である。
【図５】本考案に係るフェイスシールド１００のヘルメット２００への装着例を示す斜視図である。
【考案を実施するための形態】
【００１２】
以下、本考案の実施の形態を添付図面を参照しながら説明する。図１乃至図４は本考案に係るフェイスシールド１００の実施の一形態を示したものである。図示するように、このフェイスシールド１００は、矩形状の透明シールド板１０の上縁１１の両端に、留め具２１，２１によってゴムバンド２０を架け渡すと共に、そのゴムバンド２０が設けられた透明シールド板１０の背面側の上縁１１に沿って帯状の緩衝材３０を備えた構造となっている。
【００１３】
この透明シールド板１０は、例えばポリエチレンテレフタレート（ＰＥＴ）などの可撓性に富んだ軽量な透明樹脂材料からなっており、その下縁側の両角部は丸く加工されている。なお、この透明シールド板１０のサイズとしては特に限定されないが、顔面の殆どを覆うことができる面積、例えば横約２５ｃｍ×縦約２０ｃｍ程度の大きさとなっている。
【００１４】
また、この透明シールド板１０の背面側の上縁１１に設けられる緩衝材３０は、例えばポリウレタンなどのような軽量で柔軟な材料からなっており、その大きさは例えば高さ方向約３ｃｍ、横方向約１５ｃｍ、厚さ約１ｃｍ程度となっている。なお、この緩衝材３０が備えられる透明シールド板１０の上縁１１部分は、その緩衝材３０が透けてみえないように青色や黒色などで帯状に着色されている。さらに、その帯状の部分に商品名や商標、製造元などを印刷することもできる。
【００１５】
そして、この透明シールド板１０の上縁１１近傍、すなわちその帯部の下部には、その幅方向（横方向）に延びるスリット１２が形成されている。このスリット１２は、図５に示すようにヘルメット２００や帽子の鍔２１０が通過できる程度の大きさ、例えば幅約５ｍｍ、長さ２０ｃｍ程度となっている。そして、このスリット１２は、透明シールド板１０の上縁１１と並行に延びる直線ではなく、その両端が下方に向かうように緩やかに湾曲（カーブ）した形状となっている。
【００１６】
このような構成をした本考案に係るフェイスシールド１００は、従来のように頭部に直接装着するのではなく、図５に示すようにヘルメット２００に取り付けて使用される。すなわち、図示するように透明シールド板１０のスリット１２にヘルメット２００の鍔２１０を通過させ、その透明シールド板１０の上縁１１にある緩衝材３０を鍔２１０の上にあてがった状態でゴムバンド２０をヘルメット２００の後部に回す。
【００１７】
これによって本考案に係るフェイスシールド１００がヘルメット２００に対して一体的に取り付けられると共に、透明シールド板１０とヘルメット２００の鍔２１０とが干渉しなくなるため、そのヘルメット２００を被っていた状態でも容易かつ確実に装着することができる。また、透明シールド板１０の上縁に緩衝材３０を取り付けることによって、透明シールド板１０とヘルメット２００とが隙間無く接するため、ヘルメット２００（頭）を大きく動かしても透明シールド板１０がずれたり外れたりことがなくなり、しっかりと頭部に装着することができる。
【００１８】
また、顔面と透明シールド板１０との距離がヘルメット２００や帽子を被っていないときと変わらないため、顔面全体を透明シールド板１０で適切に覆うことが可能となり、優れた顔面シールド効果を維持することができる。なお、本実施の形態では鍔付きのヘルメット２００の例を示したが、それ以外に野球帽のような鍔付きの帽子やキャップにも装着可能であり、同様な効果を発揮することができる。
【符号の説明】
【００１９】
１０…透明シールド板
１１…上縁
１２…スリット
２０…ゴムバンド
２１…留め具
３０…緩衝材
１００…フェイスシールド
２００…ヘルメット
２１０…鍔
【図１】
0003228907.tif 000003
【図２】
0003228907.tif 000004
【図３】
0003228907.tif 000005
【図４】
0003228907.tif 000006
【図５】
0003228907.tif 000007